(57)【要約】【課題】ディスプレイパネル部の仕様が互いに異なる少なくとも２種類のプラズマディスプレイ装置において、ディスプレイパネル部と駆動回路基板を接続するフレキシブル配線板を共通化すること。【解決手段】ディスプレイパネル部の仕様が互いに異なる少なくとも２種類のプラズマディスプレイ装置の製造方法において、各プラズマディスプレイ装置が、複数行の表示電極を有する前面基板および複数列のアドレス電極を有する背面基板からなるディスプレイパネル部と、駆動回路部と、表示電極およびアドレス電極をそれぞれ駆動回路部に接続して駆動させる第１および第２フレキシブル配線板とから形成され、各前面基板の周縁に、表示電極と第１フレキシブル配線板とを中継接続するための第１接続端子が形成され、各背面基板の周縁にアドレス電極と第２フレキシブル配線板とを中継接続するための第２接続端子が形成され、第１および第２接続端子の少なくとも一方は、端子の数と配置が両プラズマディスプレイ装置間で同じになるように形成される。【選択図】図３
2007240974.tif 000002
【特許請求の範囲】
【請求項１】
ディスプレイパネル部の仕様が互いに異なる少なくとも２種類のプラズマディスプレイ装置の製造方法において、
各プラズマディスプレイ装置が、複数行の表示電極を有する前面基板および複数列のアドレス電極を有する背面基板からなるディスプレイパネル部と、駆動回路部と、表示電極およびアドレス電極をそれぞれ駆動回路部に接続して駆動させる第１および第２フレキシブル配線板とから形成され、
各前面基板の周縁に、表示電極と第１フレキシブル配線板とを中継接続するための第１接続端子が形成され、
各背面基板の周縁にアドレス電極と第２フレキシブル配線板とを中継接続するための第２接続端子が形成され、
第１および第２接続端子の少なくとも一方は、端子の数と配置が前記２種類のプラズマディスプレイ装置間で同じになるように形成されるプラズマディスプレイ装置の製造方法。
【請求項２】
前記２種類のプラズマディスプレイ装置におけるディスプレイパネル部の仕様は、ディスプレイパネル部の解像度において異なる請求項１記載のプラズマディスプレイ装置の製造方法。
【請求項３】
前記２種類のプラズマディスプレイ装置におけるディスプレイパネル部の仕様は、ディスプレイパネル部の駆動方式において異なる請求項１記載のプラズマディスプレイ装置の製造方法。
【請求項４】
第１および第２接続端子の一方または両方の数と配置が前記２種類のプラズマディスプレイ装置間で同じである請求項１記載のプラズマディスプレイ装置の製造方法。
【請求項５】
前記２種類のプラズマディスプレイ装置の少なくとも一方において、第１および第２接続端子の一方または両方は、対応するフレキシブル基板に接続されるが、対応する電極には接続されない端子を含む請求項１記載のプラズマディスプレイ装置の製造方法。
【請求項６】
表示電極およびアドレス電極が複数ブロックに分割され、第１および第２接続端子は、各ブロックに対応して分割されてなる請求項１記載のプラズマディスプレイ装置の製造方法。
【請求項７】
請求項１〜６のいずれか１つに記載の方法によって製造されたプラズマディスプレイ装置。
【請求項８】
横方向に延びて複数の表示行を定める表示電極対の配列を備えた長方形の前面基板と、縦方向に延びて複数の表示列を定めるアドレス電極の配列を備えた長方形の背面基板とを、それぞれの基板の電極延長方向における少なくとも１つの端縁部がそれら両基板の重なり部分から突出する関係で対向配置し、更に該突出端縁部にそれら基板上の電極に連なる電極端子を配列して成る構成のプラズマディスプレイパネルにおいて、
前記少なくとも一方の基板上の電極に対する電極端子の配列パターンを、より多くの対応する電極を備えた少なくとも１つの上位仕様のプラズマディスプレイパネルの電極端子と同じ配列パターンで形成し、当該電極端子に接続するフレキシブル配線板を上位仕様のパネルに対するフレキシブル配線板と共用可能にしたことを特徴とするプラズマディスプレイパネル装置。
【請求項９】
前記プラズマディスプレイパネルの画面サイズが上位仕様のパネルと実質的に同じ画面サイズであり、上位仕様が表示行と表示列の少なくとも一方の数で定まる解像度において高いことを特徴とする請求項８に記載のプラズマディスプレイパネル装置。
【請求項１０】
前記プラズマディスプレイパネルの少なくとも１端縁に設けられた上位仕様と同じ数の電極端子列が、同じ配列パターンで複数の群に分けて配置され、群毎に対応するフレキシブル配線板に接続された端子の少なくとも１個の端子は対応する電極を持たないダミー端子であることを特徴とする請求項８に記載のプラズマディスプレイパネル装置。
【発明の詳細な説明】
【技術分野】
【０００１】
この発明は、プラズマディスプレイ装置の製造方法とその方法で製造されたプラズマディスプレイ装置に関する。
【背景技術】
【０００２】
一般に、プラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されるという構成を有する。
【０００３】
このようなプラズマディスプレイ装置のディスプレイパネル部の構造は、一方の基板上に平行に隣接した表示電極対を有し、もう一方の基板上に表示電極と交差する方向に配列されたアドレス電極、隔壁、および蛍光体層を有するものである。
【０００４】
そして、アドレス電極と表示電極の間に書き込みパルスを印加することにより、アドレス電極と表示電極の間でアドレス放電を行い、放電セルを選択した後、隣接する表示電極対間に、交互に反転する周期的な維持パルスを印加することにより、表面放電を行い、所定の表示を行うようにしている。
【０００５】
このようなプラズマディスプレイ装置においては、表示電極およびアドレス電極の端子取出し部（接続端子）は、１枚のフレキシブル配線板（フレキシブルケーブルと呼ぶこともあるが以下、ＦＰＣという）の端子数の単位で複数の接続ブロックに分けられており、その接続ブロックそれぞれにＦＰＣが接続されている（例えば、特許文献１参照）。
【特許文献１】特開２００５−３４０１３１号公報
【発明の開示】
【発明が解決しようとする課題】
【０００６】
しかしながら、このようなプラズマディスプレイ装置の製品シリーズとして複数種類の装置を製造するとき、ディスプレイパネル部が解像度や駆動方式において異なる場合には、ディスプレイパネル部が同じ画面サイズであっても、接続端子の数や配置が変化する。従って、接続端子の数や配置を含めた配線パターンの変化に対応してＦＰＣを新しく設計しなければならない。また、それに伴って多種類のＦＰＣを在庫しなければならないという問題が発生している。
【０００７】
この発明は、このような事情を考慮してなされたもので、製品シリーズにおいて解像度や駆動方式が異なっても、同じＦＰＣを共通使用することが可能なプラズマディスプレイ装置の製造方法および仕様の異なる製品シリーズ間においてＦＰＣの共用可能な接続端子配列を備えたプラズマディスプレイ装置を提供し、以て製造コストの低減を図ろうとするものである。
【課題を解決するための手段】
【０００８】
この発明は、ディスプレイパネル部の仕様が互いに異なる少なくとも２種類のプラズマディスプレイ装置の製造方法において、各プラズマディスプレイ装置が、複数行の表示電極を有する前面基板および複数列のアドレス電極を有する背面基板からなるディスプレイパネル部と、駆動回路部と、表示電極およびアドレス電極をそれぞれ駆動回路部に接続して駆動させる第１および第２フレキシブル配線板とから形成され、各前面基板の周縁に、表示電極と第１フレキシブル配線板とを中継接続するための第１接続端子が形成され、各背面基板の周縁にアドレス電極と第２フレキシブル配線板とを中継接続するための第２接続端子が形成され、第１および第２接続端子の少なくとも一方は、端子の数と配置が前記２種類のプラズマディスプレイ装置間で同じになるように形成されるプラズマディスプレイ装置の製造方法を提供するものである。
【０００９】
前記２種類のプラズマディスプレイ装置におけるディスプレイパネル部の仕様は、ディスプレイパネル部の解像度や駆動方式において異なっていてもよい。
第１接続端子の数と配置が両プラズマディスプレイ装置間で同じであってもよい。
第２接続端子の数と配置が両プラズマディスプレイ装置間で同じであってもよい。
【００１０】
少なくとも一方のプラズマディスプレイ装置は、アドレス電極がディスプレイパネル部の中央で分断されていてもよい。
少なくとも一方のプラズマディスプレイ装置において、第２接続端子は、複数のアドレス電極の一端に接続される第３接続端子と、他端に接続される第４接続端子からなってもよい。
【００１１】
プラズマディスプレイ装置の一方において、第１接続端子は、第１フレキシブル基板に接続されるが、表示電極には接続されない端子を含んでもよい。
プラズマディスプレイ装置の一方において、第２接続端子は、第２フレキシブル基板に接続されるが、アドレス電極には接続されない端子を含んでもよい。
表示電極およびアドレス電極が複数のブロックに分割され、第１および第２接続端子は、各ブロックに対応して分割されてもよい。
この発明は、別の観点から、上記方法により製造されたプラズマディスプレイ装置を提供するものである。更に具体的には、横方向に延びて複数の表示行を定める表示電極対の配列を備えた長方形の前面基板と、縦方向に延びて複数の表示列を定めるアドレス電極の配列を備えた長方形の背面基板とを、それぞれの基板の電極延長方向における少なくとも１つの端縁部がそれら両基板の重なり部分から突出する関係で対向配置し、更に該突出端縁部にそれら基板上の電極に連なる電極端子を配列して成る構成のプラズマディスプレイパネルにおいて、前記少なくとも一方の基板上の電極に対する電極端子の配列パターンを、より多くの対応する電極を備えた少なくとも１つの上位仕様のプラズマディスプレイパネルの電極端子と同じ配列パターンで形成し、当該電極端子に接続するフレキシブル配線板を上位仕様のパネルに対するフレキシブル配線板と共用可能にしたことを特徴とするプラズマディスプレイパネル装置を提供するものである。
【発明の効果】
【００１２】
この発明によれば、第１および第２接続端子の少なくとも一方は、端子の数と配置が少なくとも２種類のプラズマディスプレイ装置間で同じになるように形成されるので、両プラズマディスプレイ間で共通のフレキシブル配線板が使用でき、使用部品の種類を減らしてトータルでの製造コストを低減することができる。
【発明を実施するための最良の形態】
【００１３】
以下、図面に示す実施形態を用いてこの発明を詳述する。これによってこの発明が限定されるものではない。
この発明を適用するプラズマディスプレイ装置（ＰＤＰ）のディスプレイパネル部は、一般に長方形である対向する２枚の基板間に縦横比が９対１６となる表示領域を放電セルのマトリクス配列で構成し、各セルで局部的に放電を発生させ、セル毎に区画形成された蛍光体層を励起・発光させるようにしたものである。これは、図１に示すような一対の基板アッセンブリ、つまり、背面基板５０と前面基板５０ａから構成（１画素分）される。
【００１４】
前面基板５０ａにおいては、前面側のガラス基板１１の内面に、基板面に沿った面放電を生じさせるための横方向に延びる電極Ｘ，Ｙが、表示行を定める表示電極対Ｓとして配列される。電極Ｘ，Ｙは、それぞれがＩＴＯ薄膜からなる幅の広い帯状の透明電極４１と、金属薄膜からなる幅の狭い帯状のバス電極４２とから構成される。
【００１５】
バス電極４２は、適正な導電性を確保するための補助電極である。電極Ｘ，Ｙを被覆するように誘電体層１７が設けられる。誘電体層１７の表面には保護膜１８が蒸着される。誘電体層１７及び保護膜１８はともに透光性を有している。
【００１６】
次に、背面基板５０においては、背面側のガラス基板２１の内面に、電極Ｘ，Ｙと直交する縦方向にアドレス電極Ａが配列される。各アドレス電極Ａの間に、直線状（又は格子状）のリブｒが１つずつ設けられる。なお、アドレス電極Ａを誘電体層で被覆し、リブｒをその誘電体層の上に設けることも可能である。
【００１７】
背面基板５０では、これらのリブｒによって放電空間（放電セル）３０がサブピクセル（単位発光領域）ＥＵ毎に区画され、且つ放電空間３０の間隙寸法が規定される。
【００１８】
そして、アドレス電極Ａの上部及びリブｒの側面を含めて背面側の壁面を被覆するように、カラー表示のためのＲ，Ｇ，Ｂの３色の蛍光体層２８が設けられる。
【００１９】
リブｒは低融点ガラスからなり、紫外線に対して不透明である。なお、リブｒの形成方法としては、ベタ膜状の低融点ガラス層の上にフォトリソグラフィによってエッチングマスクを設け、サンドブラストでパターニングする工程が用いられる。
【００２０】
マトリクス表示における１行には表示電極Ｓが対応し、１列には１本のアドレス電極Ａが対応する。そして、３列が１ピクセル（画素）ＥＧに対応する。つまり、１ピクセルＥＧはライン方向に並ぶＲ，Ｇ，Ｂの３つのサブピクセルＥＵから構成される。
【００２１】
アドレス電極Ａと電極Ｙとの間の対向放電によって、誘電体層１７における壁電荷の蓄積状態が制御される。電極Ｘ，Ｙに交互にパルスを印加すると、所定量の壁電荷が存在するサブピクセルＥＵで面放電（主放電）が生じる。
【００２２】
蛍光体層２８は、面放電で生じた紫外線によって局部的に励起されて所定色の可視光を放つ。この可視光の内、ガラス基板１１を透過する光が表示光となる。リブｒの配置パターンがいわゆるストライプパターンであることから、放電空間３０の内の各列に対応した部分は、全てのラインに跨がって列方向に連続している。各列内のサブピクセルＥＵの発光色は同一である。
【００２３】
図２はプラズマディスプレイ装置の構成を示す分解斜視図である。同図に示すように前面基板５０と背面基板５０ａを備えるディスプレイパネル部１１の背面にはアルミニウム製のシャーシ板１５が設けられる。シャーシ板１５の背面には複数のボス１５ａが突出している。
【００２４】
ディスプレイパネル部１１を表示駆動させるための複数の回路基板、つまり、表示電極駆動回路基板２１Ｘ，２１Ｙと、アドレス電極駆動回路基板２２ａ，２２ｂと、外部から表示データを受けて表示およびアドレス電極駆動回路２１Ｘ，２１Ｙ，２２ａ，２２ｂを制御する制御回路基板２３が、ボス１５ａに取付けられる。
【００２５】
図３はプラズマディスプレイ装置の背面図である。
同図において、表示電極駆動回路基板２１Ｘ，２１Ｙはディスプレイパネル部１１の表示電極対Ｓ（図１）の電極Ｘ，Ｙに所定の信号電圧を供給する。アドレス電極駆動回路基板２２ａ，２２ｂはディスプレイパネル部１１のアドレス電極Ａ（図１）に所定の信号電圧を供給する。
【００２６】
ＦＰＣ２４は、ディスプレイパネル部１１の表示電極用の接続端子（後述）と表示電極駆動回路基板２１Ｘ，２１Ｙとをコネクタ２６を介して接続する。
ＦＰＣ２５は、ディスプレイパネル部１１のアドレス電極用の接続端子（後述）とアドレス電極駆動回路基板２２ａ，２２ｂとをそれぞれコネクタ２７を介して接続する。
【００２７】
図４は図３に示すアドレス電極駆動回路基板２２ａを示す斜視図であり、ＦＰＣ２５は一方の端がコネクタ２７を介してアドレス電極駆動回路２２ａに接続される。ＦＰＣ２５はディスプレイパネル部１１の外周部において表裏が１８０度反転され他方の端がディスプレイパネル部１１のアドレス電極用接続端子へ異方導電性接着料を用いて熱圧着される。図３に示す他のアドレス電極駆動回路基板２２ｂ，表示電極駆動回路基板２１Ｘ，２１ＹのＦＰＣ２５，２４も同様の接続構造を有する。但し、表示電極対Ｓの一方の電極Ｘが共通駆動される形式のパネルでは基板上の一方の電極導出端縁部で同電極群が共通接続され、それに応じてＦＰＣの接続形態が変えられる。
【００２８】
図５はディスプレイパネル１１における表示電極対とアドレス電極と接続端子の配列説明図である。同図に示すように、複数の表示電極対Ｓを構成する電極Ｘ，Ｙは前面基板上の左右の端縁部に例えば１８８本ずつ４つのブロックＳｂに分割して導出され、複数のアドレス電極は背面基板上の上下の端縁部に例えば３８４本づつ８つのブロックＡｂに分割して導出される。それぞれ電極を導出した各基板の対向する２つの端縁部が突出して露出するように長方形基板が重ねられるのは周知の通りであるが、各基板の電極延長方向の一辺のみを露出させて電極を突出することもできる。
【００２９】
そして、左右の表示電極ブロックＳｂは、それぞれ電極Ｘおよび電極Ｙの端子としてディスプレイパネル１１の前面基板の左右の端縁に設けられた接続端子ＣＳに接続される。また、アドレス電極ブロックＡｂの両端は、それぞれディスプレイパネル１１の背面基板の上下の端縁に設けられた接続端子ＣＡに接続される。
【００３０】
図６は、ディスプレイパネル部１１の縦方向の解像度を、最上位仕様として高くする場合の表示電極ブロックＳｂ（図５）の拡大図である。表示電極ブロックＳｂに含まれる、例えば、１８８本のＹ電極群の一方の導出端が、接続端子ＣＳの全端子にそれぞれ接続される。つまり、表示電極ブロックＳｂの走査電極として用いられるＹ電極数と接続端子ＣＳの端子数が一致している。
【００３１】
図７は、ディスプレイパネル部１１の横方向の解像度を、最も高くする場合のアドレス電極ブロックＡｂ（図５）の拡大図である。アドレス電極ブロックＡｂの奇数番目の全電極が上側の接続端子ＣＡの全端子にそれぞれ接続され、偶数番目の全電極が下側の接続端子ＣＡの全端子にそれぞれ接続される。いずれも電極数と端子数は一致している。
図８は図７の変形例である。アドレス電極が３本毎（発光色のＲ，Ｇ，Ｂ毎）に交互に上側と下側の接続端子ＣＡの端子に接続されている。解像度は図７に示すものと同じである。
【００３２】
図９は、ディスプレイパネル部１１の横方向の解像度を、図７の上位仕様のものに比べて半分にする場合のアドレス電極ブロックＡｂの拡大図である。アドレス電極ブロックＡｂには、図７のアドレス電極の半分の数のアドレス電極が設けられ、それらの両端がそれぞれ上下の接続端子ＣＡの端子に接続される。この場合、上下の接続端子ＣＡの内、いずれか一方がアドレス電極駆動回路基板に接続されればよい。図７と図９の基板サイズと画面サイズは実質的に同じであり、端子の数とピッチを含めた配列パターンも同じである。
なお、アドレス電極が断線した場合には、断線したアドレス電極の両端を接続端子ＣＡを介して外部で短絡することにより、その機能を回復させることができる。
【００３３】
図１０は、ディスプレイパネル部１１の横方向の解像度を、図９の上位仕様のものに比べて同じ画面サイズでさらに低くする場合のアドレス電極ブロックＡｂの拡大図である。アドレス電極ブロックＡｂには、図９のアドレス電極よりさらに少ない数のアドレス電極が設けられ、それらの両端がそれぞれ上下の接続端子ＣＡの端子に接続される。この場合、接続端子ＣＡには、アドレス電極に接続されない余分の端子がダミー端子として存在することになる。
【００３４】
図１１は、図９の変形例であり、アドレス電極ブロックＡｂにおいて電極数は変わらないが、いわゆるシングルスキャン対応型として電極の一端のみが接続端子ＣＡの各端子に接続される。この場合、図２，３に示したアドレス電極駆動回路基板２２ａまたは２２ｂの一方に削減されることになる。
図１２は、図９の変形例であり、アドレス電極ブロックＡｂにおいて電極数は変わらないが、いわゆるデュアルスキャン対応型として各電極が中央で分断されている。この場合には、上下の接続端子ＣＡを、いずれもアドレス電極駆動回路基板に接続することが必要である。
【００３５】
図１３は、ディスプレイパネル部１１の縦方向の解像度を、実質的に同じ画面サイズで図６に示す上位仕様のものよりも低くする場合の表示電極ブロックＣＳの拡大図である。表示電極ブロックＳｂには、図６の表示電極よりさらに少ない数の表示電極対が設けられ、それらの電極Ｘ，Ｙの一端が接続端子ＣＳの端子に接続される。この場合、接続端子ＣＳには、表示電極に接続されない余分のダミー端子が存在することになる。
【００３６】
図１４は、ディスプレイパネル部１１の縦方向の解像度を、図６に示す上位仕様のものの半分にする場合の表示電極ブロックＳｂの拡大図である。
表示電極ブロックＳｂには、図６の表示電極の半分の数の表示電極が設けられ、各電極Ｘ，Ｙの一端がそれぞれの接続端子ＣＳの隣接する２個の端子を共有する形で接続されている。
【００３７】
この発明によれば、このようにして、プラズマディスプレイ装置のディスプレイパネル部１１の解像度および駆動方式を、表示電極接続用の接続端子ＣＳおよびアドレス電極接続用の接続端子ＣＡの端子数および端子配置を変えることなく、変更することができる。つまり、解像度および駆動方式が変わっても、同じＦＰＣ２４，２５を用いることができる。
【００３８】
例えば、次のように解像度の異なるプラズマディスプレイ装置（１）〜（３）をシリーズで製造するとき、
（１）画面サイズ42インチ，画素数1080ドット（タテ）×2048ドット（ヨコ）、
（２）画面サイズ42インチ，画素数1080ドット（タテ）×1920ドット（ヨコ）、
（３）画面サイズ42インチ，画素数1024ドット（タテ）×1024ドット（ヨコ）、
最上位仕様となる（１）の表示電極ブロックには図６のものを適用し、（１）のアドレス電極ブロックには図７又は図８のものを適用する。電極ＸとＹの本数はタテの画素数に対応するが、アドレス電極の本数はヨコ画素数の３倍の本数となる。この画素配列で縦横比９対１６の画面を構成する。
最上位よりも下位でフルハイビジョン仕様となる（２）の表示電極ブロックには図６のものを適用し、（２）のアドレス電極ブロックには図７又は図８のものをアドレス電極数を若干減少させて適用する。
上記（１）または（２）の下位仕様となる（３）の表示電極ブロックには図１３のものを適用し、（３）のアドレス電極ブロックには図９又は図１１のものを適用する。
それによって、プラズマディスプレイ装置（１）〜（３）のシリーズは、共通のＦＰＣ２４，２５を用いることができる。
なお、画面の対角寸法で示す画面サイズにおいて数インチの違いは実質的に同じものとしてこの発明を適用することができる。
【図面の簡単な説明】
【００３９】
【図１】この発明のディスプレイパネル部の要部断面斜視図である。
【図２】この発明のプラズマディスプレイ装置の分解斜視図である。
【図３】この発明のディスプレイパネル部の背面図である。
【図４】この発明のプラズマディスプレイ装置の要部斜視図である。
【図５】この発明のディスプレイパネル部の電極配置説明図である。
【図６】この発明のディスプレイパネル部の表示電極ブロックの説明図である。
【図７】この発明のディスプレイパネル部のアドレス電極ブロックの説明図である。
【図８】この発明のディスプレイパネル部のアドレス電極ブロックの説明図である。
【図９】この発明のディスプレイパネル部のアドレス電極ブロックの説明図である。
【図１０】この発明のディスプレイパネル部のアドレス電極ブロックの説明図である。
【図１１】この発明のディスプレイパネル部のアドレス電極ブロックの説明図である。
【図１２】この発明のディスプレイパネル部のアドレス電極ブロックの説明図である。
【図１３】この発明のディスプレイパネル部の表示電極ブロックの説明図である。
【図１４】この発明のディスプレイパネル部のアドレス電極ブロックの説明図である。
【符号の説明】
【００４０】
１１    ディスプレイパネル部
１５    シャーシ板
２１Ｘ  表示電極駆動回路基板
２１Ｙ  表示電極駆動回路基板
２２ａ  アドレス電極駆動回路基板
２２ｂ  アドレス電極駆動回路基板
２３    制御回路基板
２４    ＦＰＣ
２５    ＦＰＣ
２６    コネクタ
２７    コネクタ
２８    蛍光体層
３０    放電空間
４１    透明電極
４２    バス電極
５０    基板アセンブリィ（前面基板）
５０ａ  基板アセンブリィ（背面基板）
Ａ    アドレス電極
ｒ    リブ
Ｓ    表示電極
Ｘ    電極
Ｙ    電極
【図１】
2007240974.tif 000003
【図２】
2007240974.tif 000004
【図３】
2007240974.tif 000005
【図４】
2007240974.tif 000006
【図５】
2007240974.tif 000007
【図６】
2007240974.tif 000008
【図７】
2007240974.tif 000009
【図８】
2007240974.tif 000010
【図９】
2007240974.tif 000011
【図１０】
2007240974.tif 000012
【図１１】
2007240974.tif 000013
【図１２】
2007240974.tif 000014
【図１３】
2007240974.tif 000015
【図１４】
2007240974.tif 000016